(57)【要約】      （修正有）【課題】低音発声ユニットを中高音発声ユニットの外側に偏心軸で嵌合させて低音発声の面積を増大させるとともに、スピーカ全体の体積を小さくする偏心軸同音源スピーカを提供する。【解決手段】中高音発声ユニット２及び低音発声ユニット１００を備える。中高音発声ユニット２は、中高音振動音源点、中高音出音孔及び配線基板４を有する。低音発声ユニット１００は、偏心設置された中空状の中高音位置決め面３１を有し、中高音位置決め面３１の断面両側が長軸発声面と短軸発声面とに分けられて形成される。低音発声ユニット１００内には、磁石、ボイスコイル及び振動発声板が組み合わされて形成された発声体が結合される。発声体は、低音振動音源点を有する。低音発声ユニット１００の低音振動音源点と中高音発声ユニット２の中高音振動音源点とが水平高さで揃う。【選択図】図１
0003193934.tif 000002
【実用新案登録請求の範囲】
【請求項１】
中高音発声ユニット及び低音発声ユニットを備える偏心軸同音源スピーカであって、
前記中高音発声ユニットは、中高音振動音源点、中高音出音孔及び配線基板を有し、
前記低音発声ユニットは、偏心設置された中空状の中高音位置決め面を有し、前記中高音位置決め面の断面両側が長軸発声面と短軸発声面とに分けられて形成され、前記低音発声ユニット内には、磁石、ボイスコイル及び振動発声板が組み合わされて形成された発声体が結合され、前記発声体は、低音振動音源点を有し、
前記中高音発声ユニットは、前記低音発声ユニットの前記中高音位置決め面に固定的に結合され、前記中高音発声ユニットが前記低音発声ユニット中に偏心軸で位置決めされ、
前記低音発声ユニットの前記低音振動音源点と前記中高音発声ユニットの前記中高音振動音源点とが水平高さで揃うことを特徴とする、
偏心軸同音源スピーカ。
【請求項２】
前記中高音発声ユニットは、鉄片振動発声ユニット、円形電磁式鉄片発声ユニット、方形電磁式鉄片振動発声ユニット、可動線輪型発声ユニット、リボン式発声ユニット、圧電磁器発声片部材、圧電磁器発声片接合発声振動膜又は半導体チップ発声ユニットであることを特徴とする請求項１に記載の偏心軸同音源スピーカ。
【請求項３】
前記中高音発声ユニットと前記低音発声ユニットとの嵌合箇所には、前記低音発声ユニットの磁場と前記中高音発声ユニットの磁場とを分ける防磁リングが配設されていることを特徴とする請求項１に記載の偏心軸同音源スピーカ。
【請求項４】
前記防磁リングは、スリーブ構造を有し、内部に前記中高音発声ユニットが挿設され、外部に前記低音発声ユニットの環状磁性体ベースが嵌合されることを特徴とする請求項３に記載の偏心軸同音源スピーカ。
【請求項５】
前記低音発声ユニットは、環状磁性体ベースと、偏心環状第１の磁石及び偏心環状第２の磁石と、偏心第１の磁性体リング及び偏心第２の磁性体リングと、振動発声板と、配線基板とを含み、
前記環状磁性体ベースは、本体の偏心箇所に前記中空状の中高音位置決め面を有し、前記中高音位置決め面には、前記中高音発声ユニットが嵌合され、前記中高音位置決め面の両側に長軸発声面及び短軸発声面が形成され、前記環状磁性体ベースの前記本体部分には、頂面開口部を有する環状収容空間が形成されるとともに前記頂面開口部を形成する外周壁及び内周壁が含まれ、
前記偏心環状第１の磁石は、前記環状収容空間の内周壁に配設されて前記内周壁に貼着され、前記偏心環状第２の磁石は、前記環状収容空間の外周壁に配設されて前記外周壁に貼着され、前記環状第１の磁石と前記環状第２の磁石との間には、磁気ギャップが形成され、
前記偏心第１の磁性体リングは、前記偏心環状第１の磁石の上表面に固定され、前記偏心第２の磁性体リングは、前記偏心環状第２の磁石の上表面に固定され、
前記振動発声板は、環状振動板を含み、前記環状振動板は、前記環状磁性体ベースの本体部分の内周壁及び外周壁の端部に接続され、前記環状振動板下には、前記ボイスコイルが接続され、該接続箇所には、前記低音振動音源点が形成され、前記偏心環状第１の磁石と前記偏心環状第２の磁石との間に形成された前記磁気ギャップ中には、前記ボイスコイルが挿入され、
前記配線基板は、前記磁性体ベースの外底面に接続され、前記ボイスコイルの接続線が固定されていることを特徴とする請求項１に記載の偏心軸同音源スピーカ。
【請求項６】
前記低音発声ユニットは、磁性体ベースと、偏心環状磁石と、偏心環状磁性体リングと、偏心振動発声板と、配線基板とを含み、
前記磁性体ベースは、本体の偏心箇所に前記中空状の中高音位置決め面を有し、前記中高音位置決め面の両側には、長軸発声面及び短軸発声面が形成され、前記磁性体ベースの前記本体部分には頂面開口部が形成され、前記磁性体ベースの本体部分は、互いに隣接した補助磁性体結合空間及びボイスコイル作動空間を有し、前記補助磁性体結合空間と前記ボイスコイル作動空間との間には隔壁が設けられ、
前記偏心環状磁石は、前記ボイスコイル作動空間に貼着されて前記隔壁から離され、前記環状磁石と前記隔壁との間には、磁気ギャップが形成され、
前記偏心環状磁性体リングは、前記偏心環状磁石の頂面に固定され、前記環状磁性体リング及び前記磁性体ベースに開口部が形成され、
前記偏心振動発声板は、中空状振動板を含み、前記中空状振動板には前記ボイスコイルが連結され、前記ボイスコイルと前記中空状振動板との接続箇所には、低音振動音源点が形成され、前記磁性体ベースと前記環状磁性体リングとにより形成された開口部には、前記振動発声板が固定的に結合され、前記開口部を密封し、前記磁性体ベースの前記ボイスコイル作動空間中に前記ボイスコイルが挿入され、前記ボイスコイル作動空間の前記磁気ギャップ中に位置決めされ、
前記配線基板は、前記磁性体ベースの前記ボイスコイル作動空間の底面外壁面上に結合され、前記ボイスコイルの引出線が固定されていることを特徴とする請求項１に記載の偏心軸同音源スピーカ。
【請求項７】
前記振動発声板は、外圧縁及び内圧縁を含み、
前記振動板は、外周縁及び内周縁を有し、
前記外圧縁は、前記振動板の外周縁に固定され、
前記内圧縁は、前記振動板の内周縁に固定され、
前記外圧縁は、前記磁性体ベースの収容空間の外周壁に結合され、前記内圧縁は、前記収容空間の内周壁に結合されて前記収容空間の前記開口部に前記振動板が位置決めされ、前記開口部を密封することを特徴とする請求項５又は６に記載の偏心軸同音源スピーカ。
【請求項８】
前記磁性体ベースの前記ボイスコイル作動空間の底面上には、前記振動発声板の振動により発生する空気流を前記ボイスコイル作動空間の外部へ排出させる通気孔が形成されていることを特徴とする請求項５又は６に記載の偏心軸同音源スピーカ。
【請求項９】
前記磁性体ベースの底面の外壁表面に接着されるとともに、通気孔を遮ってチャンバの空気流量を調整する風量ダンパ網と、
前記低音発声ユニット及び前記中高音発声ユニット上に結合され、前記低音発声ユニットの音声を出力する低音出音孔を有する防塵保護カバーとをさらに備えることを特徴とする請求項５又は６に記載の偏心軸同音源スピーカ。
【請求項１０】
前記磁性体ベースの前記補助磁性体結合空間は、前記中高音位置決め面近くに位置し、
前記ボイスコイル作動空間は、前記中高音位置決め面から離れた箇所に位置することを特徴とする請求項６に記載の偏心軸同音源スピーカ。
【請求項１１】
前記磁性体ベースの前記補助磁性体結合空間は、前記中高音位置決め面から離れた箇所に位置し、
前記ボイスコイル作動空間は前記中高音位置決め面に近い箇所に位置することを特徴とする請求項６に記載の偏心軸同音源スピーカ。
【請求項１２】
前記磁性体ベースの前記補助磁性体結合空間上には、補助磁性体が結合されていることを特徴とする請求項１０又は１１に記載の偏心軸同音源スピーカ。
【考案の詳細な説明】
【技術分野】
【０００１】
本考案は、スピーカ発声ユニットの技術分野に関し、特に、低音発声ユニットを中高音発声ユニットの外側に偏心軸で嵌合して低音発声の出力面積を増大し、低音発声ユニットの低音振動音源点と中高音発声ユニットの中高音振動音源点とを水平高さで揃える偏心軸同音源スピーカに関する。
【背景技術】
【０００２】
従来のイヤホン又はスピーカボックスは、１つのスピーカ音声ユニットから音声が出力されるため、周波数帯域が広い音声を出力することは困難であり、低音の音量を大きくした場合、中高音の一部が失われることがあった。
また、周波数帯域が広い音声を出力するためには、イヤホン本体又はスピーカボックス内に発声ユニットを多数取り付ける必要があったが、イヤホン本体又はスピーカボックス内に、独立した低音発声ユニット及び中高音発声ユニットを取り付けた場合、占有体積が大きくなりイヤホン又はスピーカボックスの体積が大きくなってしまう虞があった。
【考案の概要】
【考案が解決しようとする課題】
【０００３】
本考案の目的は、低音発声ユニットを中高音発声ユニットの外側に偏心軸で嵌合させて低音発声の面積を増大させるとともに、スピーカ全体の体積を縮小し、低音発声ユニットと中高音発声ユニットとの発声振動音源点を水平高さで揃え、発声ユニットの電気的調整が可能な範囲を広げる偏心軸同音源スピーカを提供することにある。
【課題を解決するための手段】
【０００４】
上記の課題を解決するために、本考案の第１の形態によれば、中高音発声ユニット及び低音発声ユニットを備える偏心軸同音源スピーカであって、前記中高音発声ユニットは、中高音振動音源点、中高音出音孔及び配線基板を有し、前記低音発声ユニットは、偏心設置された中空状の中高音位置決め面を有し、前記中高音位置決め面の断面両側が長軸発声面と短軸発声面とに分けられて形成され、前記低音発声ユニット内には、磁石、ボイスコイル及び振動発声板が組み合わされて形成された発声体が結合され、前記発声体は、低音振動音源点を有し、前記中高音発声ユニットは、前記低音発声ユニットの前記中高音位置決め面に固定的に結合され、前記中高音発声ユニットが前記低音発声ユニット中に偏心軸で位置決めされ、前記低音発声ユニットの前記低音振動音源点と前記中高音発声ユニットの前記中高音振動音源点とが水平高さで揃うことを特徴とする偏心軸同音源スピーカが提供される。
【０００５】
前記中高音発声ユニットは、鉄片振動発声ユニット、円形電磁式鉄片発声ユニット、方形電磁式鉄片振動発声ユニット、可動線輪型発声ユニット、リボン式発声ユニット、圧電磁器発声片部材、圧電磁器発声片接合発声振動膜又は半導体チップ発声ユニットであることが好ましい。
【０００６】
前記中高音発声ユニットと前記低音発声ユニットとの嵌合箇所には、前記低音発声ユニットの磁場と前記中高音発声ユニットの磁場とを分ける防磁リングが配設されていることが好ましい。
【０００７】
前記防磁リングは、スリーブ構造を有し、内部に前記中高音発声ユニットが挿設され、外部に前記低音発声ユニットの環状磁性体ベースが嵌合されることが好ましい。
【０００８】
前記低音発声ユニットは、環状磁性体ベースと、偏心環状第１の磁石及び偏心環状第２の磁石と、偏心第１の磁性体リング及び偏心第２の磁性体リングと、振動発声板と、配線基板とを含み、前記環状磁性体ベースは、本体の偏心箇所に前記中空状の中高音位置決め面を有し、前記中高音位置決め面には、前記中高音発声ユニットが嵌合され、前記中高音位置決め面の両側に長軸発声面及び短軸発声面が形成され、前記環状磁性体ベースの前記本体部分には、頂面開口部を有する環状収容空間が形成されるとともに前記頂面開口部を形成する外周壁及び内周壁が含まれ、前記偏心環状第１の磁石は、前記環状収容空間の内周壁に配設されて前記内周壁に貼着され、前記偏心環状第２の磁石は、前記環状収容空間の外周壁に配設されて前記外周壁に貼着され、前記環状第１の磁石と前記環状第２の磁石との間には、磁気ギャップが形成され、前記偏心第１の磁性体リングは、前記偏心環状第１の磁石の上表面に固定され、前記偏心第２の磁性体リングは、前記偏心環状第２の磁石の上表面に固定され、前記振動発声板は、環状振動板を含み、前記環状振動板は、前記環状磁性体ベースの本体部分の内周壁及び外周壁の端部に接続され、前記環状振動板下には、前記ボイスコイルが接続され、該接続箇所には、前記低音振動音源点が形成され、前記偏心環状第１の磁石と前記偏心環状第２の磁石との間に形成された前記磁気ギャップ中には、前記ボイスコイルが挿入され、前記配線基板は、前記磁性体ベースの外底面に接続され、前記ボイスコイルの接続線が固定されていることが好ましい。
【０００９】
前記低音発声ユニットは、磁性体ベースと、偏心環状磁石と、偏心環状磁性体リングと、偏心振動発声板と、配線基板とを含み、前記磁性体ベースは、本体の偏心箇所に前記中空状の中高音位置決め面を有し、前記中高音位置決め面の両側には、長軸発声面及び短軸発声面が形成され、前記磁性体ベースの前記本体部分には頂面開口部が形成され、前記磁性体ベースの本体部分は、互いに隣接した補助磁性体結合空間及びボイスコイル作動空間を有し、前記補助磁性体結合空間と前記ボイスコイル作動空間との間には隔壁が設けられ、前記偏心環状磁石は、前記ボイスコイル作動空間に貼着されて前記隔壁から離され、前記環状磁石と前記隔壁との間には、磁気ギャップが形成され、前記偏心環状磁性体リングは、前記偏心環状磁石の頂面に固定され、前記環状磁性体リング及び前記磁性体ベースに開口部が形成され、前記偏心振動発声板は、中空状振動板を含み、前記中空状振動板には前記ボイスコイルが連結され、前記ボイスコイルと前記中空状振動板との接続箇所には、低音振動音源点が形成され、前記磁性体ベースと前記環状磁性体リングとにより形成された開口部には、前記振動発声板が固定的に結合され、前記開口部を密封し、前記磁性体ベースの前記ボイスコイル作動空間中に前記ボイスコイルが挿入され、前記ボイスコイル作動空間の前記磁気ギャップ中に位置決めされ、前記配線基板は、前記磁性体ベースの前記ボイスコイル作動空間の底面外壁面上に結合され、前記ボイスコイルの引出線が固定されていることが好ましい。
【００１０】
前記振動発声板は、外圧縁及び内圧縁を含み、前記振動板は、外周縁及び内周縁を有し、前記外圧縁は、前記振動板の外周縁に固定され、前記内圧縁は、前記振動板の内周縁に固定され、前記外圧縁は、前記磁性体ベースの収容空間の外周壁に結合され、前記内圧縁は、前記収容空間の内周壁に結合されて前記収容空間の前記開口部に前記振動板が位置決めされ、前記開口部を密封することが好ましい。
【００１１】
前記磁性体ベースの前記ボイスコイル作動空間の底面上には、前記振動発声板の振動により発生する空気流を前記ボイスコイル作動空間の外部へ排出させる通気孔が形成されていることが好ましい。
【００１２】
前記磁性体ベースの底面の外壁表面に接着されるとともに、通気孔を遮ってチャンバの空気流量を調整する風量ダンパ網と、前記低音発声ユニット及び前記中高音発声ユニット上に結合され、前記低音発声ユニットの音声を出力する低音出音孔を有する防塵保護カバーとをさらに備えることが好ましい。
【００１３】
前記磁性体ベースの前記補助磁性体結合空間は、前記中高音位置決め面近くに位置し、前記ボイスコイル作動空間は、前記中高音位置決め面から離れた箇所に位置することが好ましい。
【００１４】
前記磁性体ベースの前記補助磁性体結合空間は、前記中高音位置決め面から離れた箇所に位置し、前記ボイスコイル作動空間は前記中高音位置決め面に近い箇所に位置することが好ましい。
【００１５】
前記磁性体ベースの前記補助磁性体結合空間上には、補助磁性体が結合されていることが好ましい。
【考案の効果】
【００１６】
本考案の偏心軸同音源スピーカは、低音発声ユニットを中高音発声ユニットの外側に偏心軸で嵌合させて低音発声の面積を増大させるとともに、スピーカ全体の体積を縮小し、低音発声ユニットと中高音発声ユニットとの発声振動音源点を水平高さで揃え、発声ユニットの電気的調整が可能な範囲を広げる。
【図面の簡単な説明】
【００１７】
【図１】本考案の一実施形態に係る偏心軸同音源スピーカを示す分解斜視図である。
【図２】本考案の一実施形態に係る偏心軸同音源スピーカを示す正面斜視図である。
【図３】本考案の一実施形態に係る偏心軸同音源スピーカを示す背面斜視図である。
【図４】本考案の一実施形態に係る偏心軸同音源スピーカを示す断面図である。
【図５】本考案の他の実施形態に係る偏心軸同音源スピーカを示す分解斜視図である。
【図６】本考案の他の実施形態に係る偏心軸同音源スピーカを示す断面図である。
【図７】本考案の他の実施形態に係る偏心軸同音源スピーカを示す断面斜視図である。
【図８】本考案の他の実施形態に係る偏心軸同音源スピーカを示す断面斜視図である。
【図９】本考案の他の実施形態に係る偏心軸同音源スピーカを示す断面斜視図である。
【図１０】本考案の他の実施形態に係る偏心軸同音源スピーカを示す断面斜視図である。
【図１１】本考案の一実施形態に係る偏心軸同音源スピーカの振動発声板を示す断面図である。
【図１２Ａ】本考案の一実施形態に係る偏心軸同音源スピーカの中高音発声ユニットを示す模式図である。
【図１２Ｂ】本考案の一実施形態に係る偏心軸同音源スピーカの中高音発声ユニットを示す模式図である。
【図１２Ｃ】本考案の一実施形態に係る偏心軸同音源スピーカの中高音発声ユニットを示す模式図である。
【図１２Ｄ】本考案の一実施形態に係る偏心軸同音源スピーカの中高音発声ユニットを示す模式図である。
【図１２Ｅ】本考案の一実施形態に係る偏心軸同音源スピーカの中高音発声ユニットを示す模式図である。
【図１２Ｆ】本考案の一実施形態に係る偏心軸同音源スピーカの中高音発声ユニットを示す模式図である。
【考案を実施するための形態】
【００１８】
以下、本考案の実施形態について図に基づいて説明する。なお、これによって本考案が限定されるものではない。
【００１９】
図１〜図４を参照する。図１〜図４に示すように、本考案の一実施形態に係る偏心軸同音源スピーカは、低音発声ユニット１００及び中高音発声ユニット２を含む。中高音発声ユニット２は、外側に低音発声ユニット１００が偏心嵌合されるとともに、中高音振動音源点１３０２及び中高音発声ユニットの配線基板１４を含む。中高音発声ユニット２には、中高音出音孔１２が形成されている。中高音出音孔１２は、中高音発声ユニット２の音声を出力するために用い（図４参照）、中高音発声ユニット２は鉄片振動中高音発声ユニットである。
【００２０】
低音発声ユニット１００は、シングル磁気ギャップ機構であり、環状磁性体ベース３を含む。環状磁性体ベース３の偏心部分には中空状の中高音位置決め面３１が形成されているが、偏心軸設置されているため、中高音位置決め面３１の両側が長軸発声面１０１と短軸発声面１０２とに分かれて形成される。長軸発声面１０１は、大きめの振動面積を有し、低音発声ユニットの発声面積を増大させ、最適な低音効果を得て、距離が等しくない長軸発声面１０１及び短軸発声面１０２により好ましい低音を出力させることができる。
環状磁性体ベース３の本体部分には、頂面開口部３２５を有する収容空間３２が形成されている。環状磁性体ベース３の本体部分は、頂面開口部３２５が形成された内周壁３２３及び外周壁３２２を含み、頂面開口部３２５から離れた他の表面には底面３２６が形成されている。また底面３２６には、通気孔３２１が形成されている。
【００２１】
環状磁性体ベース３の収容空間３２中には、環状第１の磁石５０１及び環状第２の磁石５０２が配設されている。第１の磁石５０１の面積は第２の磁石５０２より小さい。第１の磁石５０１及び第２の磁石５０２の断面幅及び高さは、収容空間３２の断面幅及び高さより小さい。第１の磁石５０１及び第２の磁石５０２の底面は、収容空間３２の底面３２６に固定されている。第１の磁石５０１は、収容空間３２の内周壁３２３の壁面に貼着されている。第２の磁石５０２は、収容空間３２の外周壁３２２の壁面に貼着され、第１の磁石５０１と第２の磁石５０２との間の収容空間３２には磁気ギャップ３２４が形成されている。
【００２２】
第１の磁性体リング６０１は、第１の磁石５０１の上表面に接着され、第２の磁性体リング６０２は、第２の磁石５０２の上表面に接着され、磁石５０１，５０２及び磁性体リング６０１，６０２が環状磁性体ベース３の収容空間３２中に収容されて位置決めされる。第１の磁性体リング６０１及び第２の磁性体リング６０２は、環状磁性体ベース３の頂面開口部３２５から突出されていない。
【００２３】
環状磁性体ベース３の頂面開口部３２５上には振動発声板９が結合されている。振動発声板９は、環状外圧縁９０１、環状振動板９０２及び環状内圧縁９０３を含む。環状振動板９０２は、外周縁及び内周縁を有する。外周縁上には環状外圧縁９０１が固定され、内周縁上には環状内圧縁９０３が固定され、環状振動板９０２下にはボイスコイル８が接続されている。
ボイスコイル８は、環状外圧縁９０１と環状内圧縁９０３との間に位置し、ボイスコイル８と環状振動板９０２との接続箇所には、低音振動音源点１３０１が形成され、振動発声板９の環状外圧縁９０１が環状磁性体ベース３の頂面開口部３２５の外周壁３２２に固定され、環状内圧縁９０３は、環状磁性体ベース３の内周壁３２３に固着され、ボイスコイル８が環状磁性体ベース３の収容空間３２中に位置決めされ、第１の磁石５０１と第２の磁石５０２との間に形成された磁気ギャップ３２４中に位置し、振動発声板９により環状磁性体ベース３の収容空間３２の頂面開口部３２５が密閉される。
【００２４】
また、上述の第１の磁石５０１、第２の磁石５０２、第１の磁性体リング６０１、第２の磁性体リング６０２及び振動発声板９のそれぞれは、偏心状の環状磁性体ベース３と容易に結合することができる偏心リングである。
【００２５】
上述の第１の磁石５０１及び第２の磁石５０２は、磁場を形成し、第１の磁性体リング６０１及び第２の磁性体リング６０２により導磁作用を発生させる。ボイスコイル８は、磁気ギャップ回路を形成し、環状磁性体ベース３により導磁作用を得て、通気孔３２１を介して通気作用を得て、振動発声板９の振動により発生する空気流を通気孔３２１から排出する。
【００２６】
また、通気孔３２１が形成されていない環状磁性体ベース３の底面の３２６外壁面上には、配線基板４が接着されている。配線基板４には、ボイスコイル８の引出線８１が溶着されて電気的回路が形成されている。
【００２７】
また、環状磁性体ベース３の通気孔３２１を有する底面３２６の外壁面には、風量ダンパ網１が接着されている。風量ダンパ網１は、通気孔３２１を覆い、環状磁性体ベース３の収容空間３２内の空気流量を調整するために用いる。
【００２８】
上述した中高音発声ユニット２は、連結手段により環状磁性体ベース３に偏心設置された中空状中高音位置決め面３１中に結合される。この連結手段には、接着、嵌合などの方式を利用してもよく、中高音発声ユニット２の外側に低音発声ユニット１００を嵌合させて低音発声ユニット１００の長軸発声面１０１を介して高い低音効果を得て、中高音発声ユニット２から出力される中高音と組み合わせて広い周波数を有する好ましい音声を出力することができる。低音発声ユニット１００の低音振動音源点１３０１と中高音発声ユニット２の中高音振動音源点１３０２とが水平高さで揃うため、発声ユニットの電気的調整範囲が広がり、偏心軸同音源スピーカが低音を出力したり中高音を出力したりすることができる。
【００２９】
図５及び図６を参照する。図５及び図６は、図１〜図４と異なり、低音発声ユニット１００と中高音発声ユニット２との嵌合箇所には、防磁リング７が設置されている。防磁リング７は、スリーブに類似した構造を有する。防磁リング７は、内部に中高音発声ユニット２が挿設され、外部に低音発声ユニット１００の環状磁性体ベース３が嵌合され、防磁リング７により低音発声ユニット１００の磁場と中高音発声ユニット２の磁場とに分ける。その他の構造に関しては図１〜４と同じであるため、ここでは繰り返して述べない。
【００３０】
図７を参照する。図７に示すように、本考案の他の実施形態に係る偏心軸同音源スピーカの低音発声ユニット１００の環状磁性体ベース３０の偏心部は、中空状の中高音位置決め面３０１であり、中高音位置決め面３０１が偏心軸設置されているため、中高音位置決め面３０１の両側が長軸発声面１０１と短軸発声面１０２とに分けられ、長軸発声面１０１が大きめの振動面積を得て、低音発声ユニットの発声面積を増大させて最適な低音効果を得て、不均等な間隔で設置された長軸発声面１０１及び短軸発声面１０２により好ましい低音を出力することができる。
環状磁性体ベース３０の本体部分は、互いに隣接した補助磁性体結合空間３０３及びボイスコイル作動空間３０４を含む。補助磁性体結合空間３０３とボイスコイル作動空間３０４との間には隔壁３０６が設けられ、環状磁性体ベース３０の断面は略Ｚ字状であり、ボイスコイル作動空間３０４の結合面３０４１上には、通気孔３０４２が形成されている。図７の環状磁性体ベース３０の補助磁性体結合空間３０３は、中高音位置決め面３０１に近く、ボイスコイル作動空間３０４は、中高音位置決め面３０１から離れている。
【００３１】
環状磁性体ベース３０のボイスコイル作動空間３０４の結合面３０４１上には、偏心環状磁石５０３が固定的に結合されている。偏心環状磁石５０３の断面幅及び高さは、ボイスコイル作動空間３０４の断面幅及び高さより小さい。磁石５０３は、補助磁性体結合空間３０３から離れたボイスコイル作動空間３０４に貼着され、磁石５０３の幅がボイスコイル作動空間３０４より小さく、ボイスコイル作動空間３０４は磁石５０３により充満されることはなく、補助磁性体結合空間３０３に近い隔壁３０６には磁気ギャップ３０５が保持される。
【００３２】
偏心環状磁性体リング６０３は、磁石５０３の頂端表面に接着され、環状磁性体ベース３０のボイスコイル作動空間３０４中に磁石５０３及び磁性体リング６０３を収容して位置決めさせる。
【００３３】
磁性体ベース３０と磁性体リング６０３との間には開口部３０２が形成されている。開口部３０２には、偏心の振動発声板９が結合されている。振動発声板９は、環状外圧縁９０１、中空状振動板９０２及び環状内圧縁９０３を含む。中空状振動板９０２は、外周縁及び内周縁を有する。外周縁上には、環状外圧縁９０１が固定され、内周縁上には、環状内圧縁９０３が固定され、環状振動板９０２上には、ボイスコイル８が接続されている。
ボイスコイル８は、環状外圧縁９０１と環状内圧縁９０３との間に位置する。ボイスコイル８と環状振動板９０２との接続箇所には、低音振動音源点１３０１が設けられている。振動発声板９の環状外圧縁９０１及び環状内圧縁９０３は、環状磁性体ベース３０の開口部３０２の内・外縁部にそれぞれ貼着され、ボイスコイル８は、環状磁性体ベース３０のボイスコイル作動空間３０４中、かつ、磁石５０３と隔壁３０６との間の磁気ギャップ３０５に位置決めされ、振動発声板９は、環状磁性体ベース３０の開口部３０２を密閉するために用いられる。
【００３４】
図８を参照する。図８は、本考案の他の実施形態に係る偏心軸同音源スピーカを示す断面斜視図である。図８に示すように、補助磁性体結合空間３０３上には、補助磁性体５０４が固定的に結合される。補助磁性体５０４の面積は磁石５０３より小さい。補助磁性体５０４の断面幅及び高さは、ボイスコイル作動空間３０４の断面幅及び高さより小さく、補助磁性体５０４の結合により、環状磁性体ベース３０が導磁効果を有するため、全体の磁性を高めることができる。その他の構造については図７と同じであるため、ここでは繰り返して述べない。
【００３５】
図９を参照する。図９は、図７及び図８と異なり、ボイスコイル作動空間３０４が中高音位置決め面３０１に隣接した箇所に位置し、補助磁性体結合空間３０３が中高音位置決め面３０１から離れた箇所に位置し、図７及び図８の環状磁性体ベース３０と反対方向を向いた断面形状を有する点が異なるが、その他の構造については図７及び図８と同じであるため、ここでは繰り返して述べない。
【００３６】
図１０を参照する。図１０に示すように、中高音位置決め面３０１から離れた補助磁性体結合空間３０３上には、補助磁性体５０５が固定的に結合され、図９に示すような効果を同様に得ることができる。その他の構造については図９と同じであるため、ここでは繰り返して述べない。
【００３７】
図１１を参照する。図１〜図１０の環状振動板９０２は複合膜材料９０２１からなってもよい。環状振動板９０２は、高分子プラスチック、高分子プラスチック繊維、有機繊維、鉱物質（ｍｉｎｅｒａｌ  ｍａｔｔｅｒ）などの材料からなり、鉱物質には、金属（ｍｅｔａｌ）、岩石（ｒｏｃｋ）、鉱物（ｍｉｎｅｒａｌ）、ガラス（ｇｌａｓｓ）などが含まれ、薄膜成形及び編組プレス（ｂｒａｉｄｅｄ−ｔｙｐｅ  ｐｕｎｃｈｉｎｇ）成形のうちの少なくとも１つが採用されてもよい。
環状外圧縁９０１又は環状内圧縁９０３の形状は、本実施形態では円形がベストモードとして採用されているが、勿論、円形のみに限定されるわけではなく、楕円形、三角形、四角形、多角形又はその他幾何学的形状でもよい。
【００３８】
また、上述の環状磁性体ベース３０のボイスコイル作動空間３０４の外壁面上には、配線基板４が接着されている。配線基板４には、ボイスコイル８の引出線８１が溶着されて電気的回路が形成されている。
【００３９】
上述の図１〜図１０の中高音発声ユニット２と、防磁リング７又は環状磁性体ベース３又は環状磁性体ベース３０との連結手段には、接着、嵌合などの方式を利用してもよい。
中高音発声ユニット２の外側に低音発声ユニット１００を嵌合させて低音発声ユニット１００と中高音発声ユニット２とを偏心軸関係にし、低音発声ユニット１００の低音振動音源点１３０１と中高音発声ユニット２の中高音振動音源点１３０２とが水平高さで揃うため、発声ユニットの電気的調整範囲が広がり、偏心軸同音源スピーカが低音を出力したり中高音を出力したりすることができる。
【００４０】
図１〜図１０で述べた磁化された中高音発声ユニット２の中高音発声ユニットの配線基板１４と、磁化された低音発声ユニット１００の配線基板４とは、信号ケーブル（ｓｉｇｎａｌ  ｃａｂｌｅ）を介して導通される。
【００４１】
また、環状磁性体ベース３０のボイスコイル作動空間３０４の底面外壁面上には、風量ダンパ網１が接着される。風量ダンパ網１は、通気孔３０４２を覆い、環状磁性体ベース３０のボイスコイル作動空間３０４内の空気流量を調整するために用いる。
【００４２】
また、上述した図１〜図１０の低音発声ユニット１００上には、防塵保護カバー１０が配設されている。防塵保護カバー１０は、低音発声ユニット１００の音声を出力する低音出音孔１１を有する。
【００４３】
図１２Ａ〜図１２Ｆを参照する。図１２Ａ〜図１２Ｆに示すように、中高音発声ユニット２には、方形電磁式鉄片振動発声ユニット（ｒｅｃｔａｎｇｕｌａｒ  ｅｌｅｃｔｒｏｍａｇｎｅｔｉｃ  ｍｏｖｉｎｇ  ｉｒｏｎ  ｓｏｕｎｄ  ｕｎｉｔ）２ａ（図１２Ａ参照）、可動線輪型発声ユニット（ｍｏｖｉｎｇ−ｖｏｃａｌ  ｃｏｉｌ  ｓｏｕｎｄ  ｕｎｉｔ）２ｂ（図１２Ｂ参照）、リボン式発声ユニット（ｒｉｂｂｏｎ−ｔｙｐｅ  ｓｏｕｎｄ  ｕｎｉｔ）２ｃ（図１２Ｃ参照）、圧電磁器発声片部材（ｐｉｅｚｏ−ｃｅｒａｍｉｃ  ｓｏｕｎｄ  ｐｉｅｃｅ  ｃｏｍｐｏｎｅｎｔ）２ｄ（図１２Ｄ参照）、圧電磁器発声片接合発声振動膜（ｐｉｅｚｏ−ｃｅｒａｍｉｃ  ｓｏｕｎｄ  ｐｉｅｃｅ  ａｄｊｏｉｎｉｎｇ  ａｎｏｔｈｅｒ  ｖｉｂｒａｔｉｎｇ  ｖｏｃａｌ  ｔｏｎｅ  ｄｉａｐｈｒａｇｍ）２ｅ（図１２Ｅ参照）、半導体チップ発声ユニット（ｓｅｍｉｃｏｎｄｕｃｔｏｒ  ｃｈｉｐ  ｓｏｕｎｄ  ｕｎｉｔ）２ｆ（図１２Ｆ参照）を用いてもよい。
図１２Ａ〜１２Ｆに示すように、中高音発声ユニット２ａ〜２ｆは、中高音発声ユニットの配線基板１４及び中高音振動音源点１３０２を含む。図１２Ｆの半導体チップ発声ユニット２ｆ上には、中高音出音孔は形成されていないが、その他の中高音発声ユニット２ａ〜２ｅ上には、中高音出音孔１２が形成されている。上述の中高音発声ユニット２は単なる好適な実施形態であり、勿論、本考案の実用新案登録請求の範囲を限定するわけではない。
【００４４】
また図１〜図１２に示す各実施形態は、各種スピーカ製品又はイヤホン製品に応用することができる。イヤホン製品には、インナーイヤー型、カナル型、ネックバンド型及びヘッドバンド型が含まれる。
【００４５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００４６】
１        風量ダンパ網        
２        中高音発声ユニット
３        環状磁性体ベース        
４        配線基板
７        防磁リング
８        ボイスコイル
９        振動発声板
１０      防塵保護カバー
１１      低音出音孔
１２      中高音出音孔
１４      中高音発声ユニットの配線基板
３０      環状磁性体ベース
３１      中高音位置決め面
３２      収容空間
８１      引出線
１００    低音発声ユニット
１０１    長軸発声面
１０２    短軸発声面
３０１    中高音位置決め面
３０２    開口部
３０３    補助磁性体結合空間
３０４    ボイスコイル作動空間
３０５    磁気ギャップ
３０６    隔壁
３２１    通気孔
３２２    外周壁
３２３    内周壁
３２４    磁気ギャップ
３２５    頂面開口部
３２６    底面
５０１    第１の磁石
５０２    第２の磁石
５０３    磁石
５０４    補助磁性体
５０５    補助磁性体
６０１    第１の磁性体リング
６０２    第２の磁性体リング
６０３    磁性体リング
９０１    環状外圧縁
９０２    環状振動板
９０３    環状内圧縁
１３０１  低音振動音源点
１３０２  中高音振動音源点
３０４１  結合面
３０４２  通気孔
９０２１  複合膜材料
【図１】
0003193934.tif 000003
【図２】
0003193934.tif 000004
【図３】
0003193934.tif 000005
【図４】
0003193934.tif 000006
【図５】
0003193934.tif 000007
【図６】
0003193934.tif 000008
【図７】
0003193934.tif 000009
【図８】
0003193934.tif 000010
【図９】
0003193934.tif 000011
【図１０】
0003193934.tif 000012
【図１１】
0003193934.tif 000013
【図１２Ａ】
0003193934.tif 000014
【図１２Ｂ】
0003193934.tif 000015
【図１２Ｃ】
0003193934.tif 000016
【図１２Ｄ】
0003193934.tif 000017
【図１２Ｅ】
0003193934.tif 000018
【図１２Ｆ】
0003193934.tif 000019
【手続補正書】
【提出日】平成26年8月29日(2014.8.29)
【手続補正１】
【補正対象書類名】実用新案登録請求の範囲
【補正対象項目名】全文
【補正方法】変更
【補正の内容】
【実用新案登録請求の範囲】
【請求項１】
中高音発声ユニット及び低音発声ユニットを備える偏心軸同音源スピーカであって、
前記中高音発声ユニットは、中高音振動音源点、中高音出音孔及び配線基板を有し、
前記低音発声ユニットは、偏心設置された中空状の中高音位置決め面を有し、前記中高音位置決め面の断面両側が長軸発声面と短軸発声面とに分けられて形成され、前記低音発声ユニット内には、磁石、ボイスコイル及び振動発声板が組み合わされて形成された発声体が結合され、前記発声体は、低音振動音源点を有し、
前記中高音発声ユニットは、前記低音発声ユニットの前記中高音位置決め面に固定的に結合され、前記中高音発声ユニットが前記低音発声ユニット中に偏心軸で位置決めされ、
前記低音発声ユニットの前記低音振動音源点と前記中高音発声ユニットの前記中高音振動音源点とが水平高さで揃うことを特徴とする、
偏心軸同音源スピーカ。
【請求項２】
前記中高音発声ユニットは、鉄片振動発声ユニット、円形電磁式鉄片発声ユニット、方形電磁式鉄片振動発声ユニット、可動線輪型発声ユニット、リボン式発声ユニット、圧電磁器発声片部材、圧電磁器発声片接合発声振動膜又は半導体チップ発声ユニットであることを特徴とする請求項１に記載の偏心軸同音源スピーカ。
【請求項３】
前記中高音発声ユニットと前記低音発声ユニットとの嵌合箇所には、前記低音発声ユニットの磁場と前記中高音発声ユニットの磁場とを分ける防磁リングが配設されていることを特徴とする請求項１に記載の偏心軸同音源スピーカ。
【請求項４】
前記防磁リングは、スリーブ構造を有し、内部に前記中高音発声ユニットが挿設され、外部に前記低音発声ユニットの環状磁性体ベースが嵌合されることを特徴とする請求項３に記載の偏心軸同音源スピーカ。
【請求項５】
前記低音発声ユニットは、環状磁性体ベースと、偏心環状第１の磁石及び偏心環状第２の磁石と、偏心第１の磁性体リング及び偏心第２の磁性体リングと、振動発声板と、配線基板とを含み、
前記環状磁性体ベースは、本体の偏心箇所に前記中空状の中高音位置決め面を有し、前記中高音位置決め面には、前記中高音発声ユニットが嵌合され、前記中高音位置決め面の両側に長軸発声面及び短軸発声面が形成され、前記環状磁性体ベースの前記本体部分には、頂面開口部を有する環状収容空間が形成されるとともに前記頂面開口部を形成する外周壁及び内周壁が含まれ、
前記偏心環状第１の磁石は、前記環状収容空間の内周壁に配設されて前記内周壁に貼着され、前記偏心環状第２の磁石は、前記環状収容空間の外周壁に配設されて前記外周壁に貼着され、前記環状第１の磁石と前記環状第２の磁石との間には、磁気ギャップが形成され、
前記偏心第１の磁性体リングは、前記偏心環状第１の磁石の上表面に固定され、前記偏心第２の磁性体リングは、前記偏心環状第２の磁石の上表面に固定され、
前記振動発声板は、環状振動板を含み、前記環状振動板は、前記環状磁性体ベースの本体部分の内周壁及び外周壁の端部に接続され、前記環状振動板下には、前記ボイスコイルが接続され、該接続箇所には、前記低音振動音源点が形成され、前記偏心環状第１の磁石と前記偏心環状第２の磁石との間に形成された前記磁気ギャップ中には、前記ボイスコイルが挿入され、
前記配線基板は、前記磁性体ベースの外底面に接続され、前記ボイスコイルの接続線が固定されていることを特徴とする請求項１に記載の偏心軸同音源スピーカ。
【請求項６】
前記低音発声ユニットは、磁性体ベースと、偏心環状磁石と、偏心環状磁性体リングと、偏心振動発声板と、配線基板とを含み、
前記磁性体ベースは、本体の偏心箇所に前記中空状の中高音位置決め面を有し、前記中高音位置決め面の両側には、長軸発声面及び短軸発声面が形成され、前記磁性体ベースの前記本体部分には頂面開口部が形成され、前記磁性体ベースの本体部分は、互いに隣接した補助磁性体結合空間及びボイスコイル作動空間を有し、前記補助磁性体結合空間と前記ボイスコイル作動空間との間には隔壁が設けられ、
前記偏心環状磁石は、前記ボイスコイル作動空間に貼着されて前記隔壁から離され、前記環状磁石と前記隔壁との間には、磁気ギャップが形成され、
前記偏心環状磁性体リングは、前記偏心環状磁石の頂面に固定され、前記環状磁性体リング及び前記磁性体ベースに開口部が形成され、
前記偏心振動発声板は、環状振動板を含み、前記環状振動板には前記ボイスコイルが連結され、前記ボイスコイルと前記環状振動板との接続箇所には、低音振動音源点が形成され、前記磁性体ベースと前記環状磁性体リングとにより形成された開口部には、前記振動発声板が固定的に結合され、前記開口部を密封し、前記磁性体ベースの前記ボイスコイル作動空間中に前記ボイスコイルが挿入され、前記ボイスコイル作動空間の前記磁気ギャップ中に位置決めされ、
前記配線基板は、前記磁性体ベースの前記ボイスコイル作動空間の底面外壁面上に結合され、前記ボイスコイルの引出線が固定されていることを特徴とする請求項１に記載の偏心軸同音源スピーカ。
【請求項７】
前記振動発声板は、外圧縁及び内圧縁を含み、
前記環状振動板は、外周縁及び内周縁を有し、
前記外圧縁は、前記環状振動板の外周縁に固定され、
前記内圧縁は、前記環状振動板の内周縁に固定され、
前記外圧縁は、前記磁性体ベースの収容空間の外周壁に結合され、前記内圧縁は、前記収容空間の内周壁に結合されて前記収容空間の前記開口部に前記環状振動板が位置決めされ、前記開口部を密封することを特徴とする請求項５又は６に記載の偏心軸同音源スピーカ。
【請求項８】
前記磁性体ベースの前記ボイスコイル作動空間の底面上には、前記振動発声板の振動により発生する空気流を前記ボイスコイル作動空間の外部へ排出させる通気孔が形成されていることを特徴とする請求項６に記載の偏心軸同音源スピーカ。
【請求項９】
前記磁性体ベースの底面の外壁表面に接着されるとともに、通気孔を遮ってチャンバの空気流量を調整する風量ダンパ網と、
前記低音発声ユニット及び前記中高音発声ユニット上に結合され、前記低音発声ユニットの音声を出力する低音出音孔を有する防塵保護カバーとをさらに備えることを特徴とする請求項５又は６に記載の偏心軸同音源スピーカ。
【請求項１０】
前記磁性体ベースの前記補助磁性体結合空間は、前記中高音位置決め面近くに位置し、
前記ボイスコイル作動空間は、前記中高音位置決め面から離れた箇所に位置することを特徴とする請求項６に記載の偏心軸同音源スピーカ。
【請求項１１】
前記磁性体ベースの前記補助磁性体結合空間は、前記中高音位置決め面から離れた箇所に位置し、
前記ボイスコイル作動空間は前記中高音位置決め面に近い箇所に位置することを特徴とする請求項６に記載の偏心軸同音源スピーカ。
【請求項１２】
前記磁性体ベースの前記補助磁性体結合空間上には、補助磁性体が結合されていることを特徴とする請求項１０又は１１に記載の偏心軸同音源スピーカ。
【手続補正２】
【補正対象書類名】明細書
【補正対象項目名】０００９
【補正方法】変更
【補正の内容】
【０００９】
前記低音発声ユニットは、磁性体ベースと、偏心環状磁石と、偏心環状磁性体リングと、偏心振動発声板と、配線基板とを含み、前記磁性体ベースは、本体の偏心箇所に前記中空状の中高音位置決め面を有し、前記中高音位置決め面の両側には、長軸発声面及び短軸発声面が形成され、前記磁性体ベースの前記本体部分には頂面開口部が形成され、前記磁性体ベースの本体部分は、互いに隣接した補助磁性体結合空間及びボイスコイル作動空間を有し、前記補助磁性体結合空間と前記ボイスコイル作動空間との間には隔壁が設けられ、前記偏心環状磁石は、前記ボイスコイル作動空間に貼着されて前記隔壁から離され、前記環状磁石と前記隔壁との間には、磁気ギャップが形成され、前記偏心環状磁性体リングは、前記偏心環状磁石の頂面に固定され、前記環状磁性体リング及び前記磁性体ベースに開口部が形成され、前記偏心振動発声板は、環状振動板を含み、前記環状振動板には前記ボイスコイルが連結され、前記ボイスコイルと前記環状振動板との接続箇所には、低音振動音源点が形成され、前記磁性体ベースと前記環状磁性体リングとにより形成された開口部には、前記振動発声板が固定的に結合され、前記開口部を密封し、前記磁性体ベースの前記ボイスコイル作動空間中に前記ボイスコイルが挿入され、前記ボイスコイル作動空間の前記磁気ギャップ中に位置決めされ、前記配線基板は、前記磁性体ベースの前記ボイスコイル作動空間の底面外壁面上に結合され、前記ボイスコイルの引出線が固定されていることが好ましい。
【手続補正３】
【補正対象書類名】明細書
【補正対象項目名】００１０
【補正方法】変更
【補正の内容】
【００１０】
前記振動発声板は、外圧縁及び内圧縁を含み、前記環状振動板は、外周縁及び内周縁を有し、前記外圧縁は、前記環状振動板の外周縁に固定され、前記内圧縁は、前記環状振動板の内周縁に固定され、前記外圧縁は、前記磁性体ベースの収容空間の外周壁に結合され、前記内圧縁は、前記収容空間の内周壁に結合されて前記収容空間の前記開口部に前記環状振動板が位置決めされ、前記開口部を密封することが好ましい。
【手続補正４】
【補正対象書類名】明細書
【補正対象項目名】００３３
【補正方法】変更
【補正の内容】
【００３３】
磁性体ベース３０と磁性体リング６０３との間には開口部３０２が形成されている。開口部３０２には、偏心の振動発声板９が結合されている。振動発声板９は、環状外圧縁９０１、環状振動板９０２及び環状内圧縁９０３を含む。環状振動板９０２は、外周縁及び内周縁を有する。外周縁上には、環状外圧縁９０１が固定され、内周縁上には、環状内圧縁９０３が固定され、環状振動板９０２上には、ボイスコイル８が接続されている。
ボイスコイル８は、環状外圧縁９０１と環状内圧縁９０３との間に位置する。ボイスコイル８と環状振動板９０２との接続箇所には、低音振動音源点１３０１が設けられている。振動発声板９の環状外圧縁９０１及び環状内圧縁９０３は、環状磁性体ベース３０の開口部３０２の内・外縁部にそれぞれ貼着され、ボイスコイル８は、環状磁性体ベース３０のボイスコイル作動空間３０４中、かつ、磁石５０３と隔壁３０６との間の磁気ギャップ３０５に位置決めされ、振動発声板９は、環状磁性体ベース３０の開口部３０２を密閉するために用いられる。